(57)【特許請求の範囲】
【請求項１】
前端が開口し後端に底部を有する有底筒形状をなし、該底部には壁への固定用のビス孔が形成されているとともに、筒内部において前後方向に延び、該前端開口より挿入されたビスを支持しつつ該ビス孔に向けて案内するビス受ガイドが設けられており、該ビス受ガイドは横断面形状がＵ字状をなしていることを特徴とする壁取付ブラケット。
【請求項２】
請求項１において、前記Ｕ字状のビス受ガイドは周方向に１８０°隔たった２箇所に且つ互いに逆向きに設けられていることを特徴とする壁取付ブラケット。
【請求項３】
請求項１，２の何れかにおいて、筒内部且つ前記ビス受ガイドの外側空間には、前記ビスが該ビス受ガイドの外側空間に入り込むのを防止するための障害物が設けてあることを特徴とする壁取付ブラケット。
【請求項４】
請求項１〜３の何れかにおいて、前記前端開口は化粧キャップにて閉鎖されていることを特徴とする壁取付ブラケット。
【請求項５】
請求項１〜４の何れかにおいて、前記ビス孔が前記壁側に向かって細径化するようなすり鉢形状となしてあることを特徴とする壁取付ブラケット。
【請求項６】
請求項１〜５の何れかにおいて、前記壁取付ブラケットが棒状若しくはリング状のタオル掛部を支持するタオル掛器具の支持体を成していることを特徴とする壁取付ブラケット。
【発明の詳細な説明】
【０００１】
【発明の属する技術分野】
この発明はタオル掛器具における棒状若しくはリング状のタオル掛部を支持する支持体等として用いられる壁取付ブラケットに関する。
【０００２】
【発明の背景】
従来よりトイレ，洗面室，脱衣室，キッチン等の壁に取り付けられるタオル掛器具として、左右に間隔を空けて壁に固定される一対の支持体（壁取付ブラケット）と、それら支持体間に架け渡されるバーとを有する形態のものが多く用いられている。
【０００３】
図５はその一例を示したもので、図中２００は壁２０２に固定された支持体で（図では一対の支持体２００の内の一方のみを示している）、２０４は一対の支持体２００間に架け渡されたバーである。
【０００４】
ところでこのタオル掛器具を壁２０２に取付施工するに当っては、一般的に市販されているドライバ等の工具を使って施工ができることと、ねじ具を目立たなくし、美観を良好にできることとが求められる。
そこで従来にあってはタオル掛器具を以下のような構成としてこれを壁２０２に取付施工する方法が多く用いられている。
【０００５】
その一は、図５に示しているように取付ベース２０８をビス（ねじ具）２１０にて壁２０２に固定した上、筒形状の支持体２００をその取付ベース２０８を隠蔽するように外側に嵌め合せ、そしてそれら支持体２００と取付ベース２０８とをビス２１２にて互いに締結し固定する方法である。
【０００６】
図６はこれとは異なる取付施工の例で、この例では大径の円板状のフランジ２１６をビス２１０にて壁に固定することで支持体２００を壁に取り付け、そしてそのフランジ２１６に前面側からフランジカバー２１８を被せてビス２１０を隠蔽するようになしたものである。
【０００７】
【発明が解決しようとする課題】
図５に示す施工例の場合、ビス２１２にて支持体２００と取付ベース２０８とを締結する際、美観を良くするために最も目立ち難い下面において且つ壁２０２に近い位置（２０〜５０ｍｍ位のところ）で支持体２００と取付ベース２０８とをビス２１２にて締結することとなる。
【０００８】
しかしながらこの場合、ドライバやレンチ等の工具２１４にてビス２１２を回転操作する際に十分な作業空間を確保することが難しく、しかもその締結作業は支持体２００の下面の隠れた位置で行うこととなるため手探りの作業とならざるを得ず、このためタオル掛器具の取付作業が難しい作業となっていた。
【０００９】
一方図６に示す施工例の場合、ビス２１０を前面から壁にねじ込むことができ、作業性は良好であるものの、大径の円板状のフランジ２１６を隠蔽するためのフランジカバー２１８が目立つ存在となり、これがタオル掛器具のデザインの自由度を大きく制約する要因になるといった問題があった。
【００１０】
これに対し、図７に示しているように支持体２００を筒形状に構成し、そしてその底部２２０においてビス２１０によりこれを壁２０２に固定した後、前端の開口２２２を化粧キャップ２２４で閉鎖するといったことが考えられている。
このようにした場合、ビス２１０のねじ込作業を前面側から行うことができ、しかもビス２１０を支持体２００の内部に隠蔽状態とすることができる。
【００１１】
しかしながらこの施工例の場合、バー２０４が１本だけであって支持体２００の長さがそれ程長くない場合には、支持体２００の前端の開口２２２よりドライバ等を挿入して支障なくビス２１０を壁２０２にねじ込作業できるものの、例えばバー２０４が２本又はそれ以上に増えた場合等においてそれらを支持すべく支持体２００の長さが長くなった場合、ビス２１０を壁２０２にねじ込作業するのが難しくなり、ひいてはタオル掛器具を壁２０２に取付施工するのが困難になるといった問題を生ずる。
【００１２】
支持体２００の長さが長くなった場合、その内部が外から良く見えない状態となって、支持体２００の前端開口２２２から挿入したビス２１０を底部のビス孔まで良好に持ち来たしてこれをビス孔に嵌め合せる作業が著しく難しくなるのである。
【００１３】
以上タオル掛器具における支持体を例として説明したが、同様の問題は水切棚その他器具における壁取付ブラケットを壁に取り付ける際にも生じる。
【００１４】
【課題を解決するための手段】
本発明の壁取付ブラケットはこのような課題を解決するために案出されたものである。
而して請求項１のものは、前端が開口し後端に底部を有する有底筒形状をなし、該底部には壁への固定用のビス孔が形成されているとともに、筒内部において前後方向に延び、該前端開口より挿入されたビスを支持しつつ該ビス孔に向けて案内するビス受ガイドが設けられており、該ビス受ガイドは横断面形状がＵ字状をなしていることを特徴とする。
【００１５】
請求項２のものは、請求項１において、前記Ｕ字状のビス受ガイドは周方向に１８０°隔たった２箇所に且つ互いに逆向きに設けられていることを特徴とする。
【００１６】
請求項３のものは、請求項１，２の何れかにおいて、筒内部且つ前記ビス受ガイドの外側空間には、前記ビスが該ビス受ガイドの外側空間に入り込むのを防止するための障害物が設けてあることを特徴とする。
【００１７】
請求項４のものは、請求項１〜３の何れかにおいて、前記前端開口は化粧キャップにて閉鎖されていることを特徴とする。
【００１８】
請求項５のものは、請求項１〜４の何れかにおいて、前記ビス孔が前記壁側に向かって最径化するようなすり鉢形状となしてあることを特徴とする。
【００１９】
請求項６のものは、請求項１〜５の何れかにおいて、前記壁取付ブラケットが棒状若しくはリング状のタオル掛部を支持するタオル掛器具の支持体を成していることを特徴とする。
【００２０】
【作用及び発明の効果】
上記のように請求項１の壁取付ブラケットは、これを有底筒形状に形成してその底部に壁への固定用のビス孔を形成し、且つ筒内部にビスを支持しつつビス孔に向けて案内するビス受ガイドを前後方向に延びる形態で設けたもので、この壁取付ブラケットの場合、前端開口より挿入したビスを、ビス受ガイドの作用によりビス孔に誘導でき、従って壁取付ブラケットが前後方向に長い場合においても容易にビスをその底部のビス孔に持ち来たし、壁に向けてねじ込作業することができる。
【００２１】
加えてこの壁取付ブラケットの場合、壁に向って前面からビスをねじ込操作できるためにビスのねじ込作業も良好であり、壁取付ブラケットを作業性良く壁に取付施工することができる。
またその固定用のビスは最終的に筒内部に隠蔽された状態となるため、施工完了状態において壁取付ブラケットの美観を良好となすことができる。
【００２２】
この請求項１では、ビス受ガイドを断面Ｕ字形状をなすように構成しておく。
この場合において、Ｕ字状のビス受ガイドは周方向に１８０°隔たった２箇所に且つ互いに逆向きに設けておくことができる（請求項２）。
【００２３】
このようにしておけば、ビス受ガイドを上下に位置させた状態でビスによる固定作業を行うに当って、尚且つ壁取付ブラケットが左右対称形状で一対備えられている壁取付器具において、壁取付ブラケットの上下の向きを左右で逆向きとすることによって、同種の壁取付ブラケットを左側の壁取付ブラケットとしても、また右側の壁取付ブラケットとしても共通に用い得る利点が得られる。
【００２４】
請求項３のものは、ビス受ガイドの外側空間に障害物を設けて、ビスがビス受ガイド以外の部分に入り込むのを防止するようになしたもので、このようにしておけば、ビスを確実にビス受ガイド内に入り込ませることができる。
【００２５】
本発明の壁取付ブラケットは、その前端開口を化粧キャップにて閉鎖した形態となしておくことができる（請求項４）。
このようにしておけば、前端開口を利用してビスの挿入及びねじ込作業ができるとともに、その後においてはその前端開口を化粧キャップにて閉鎖及び化粧し、外観を良好となすことができる。
【００２６】
本発明においては、上記ビス孔をすり鉢形状となしておくことができる（請求項５）。
このようにしておけば、ビス受ガイドにてビスを支持しつつビス孔まで誘導した後、続いてそのすり鉢形状の案内作用でビスの先端を円滑にビス孔に嵌め合せることができる。
この場合において、底部内面におけるビス孔周りの部分もすり鉢状となしておくことができる。
【００２７】
本発明は、タオル掛器具における支持体に適用して好適なものである（請求項６）。
【００２８】
【実施例】
次に本発明の実施例を図面に基づいて詳しく説明する。
図１において１０はタオル掛器具で、左右に間隔をおいて壁１２に取付固定された一対の支持体（壁取付ブラケット）１４Ｌ，１４Ｒと、それらに架け渡された２本の棒状のタオル掛部１６とを有している。
【００２９】
一対の支持体１４Ｌ，１４Ｒには、相対向する側の面に且つ前後２箇所に嵌合孔１８が形成されており、それら嵌合孔１８に一対のタオル掛部１６の端部が嵌合され、以って各棒状のタオル掛部１６が支持体１４Ｌ，１４Ｒにより支持されている。
一対の支持体１４Ｌ，１４Ｒのそれぞれは円筒形状をなしており、且つ前端が開口形状をなしていてその開口が化粧キャップ２０にて閉鎖されている。
【００３０】
一対の支持体１４Ｌ，１４Ｒは、図３にも示しているように後端に底部２２を有しており、その底部２２の上下２箇所においてビス２４により壁１２に取付固定されている。
詳しくは、底部２２には上下２箇所にビス孔２６（図４参照）が形成されており、そこにビス２４が挿通されたうえ壁１２にねじ込まれることで、一対の支持体１４Ｌ，１４Ｒが壁１２に固定状態とされている。
【００３１】
支持体１４Ｌ，１４Ｒの内部には、上下２箇所に断面Ｕ字形状をなすビス受ガイド２８が設けられ、更にそのビス受ガイド２８の外側空間に、支持体１４Ｌ，１４Ｒの前端開口から挿入されたビス２４がビス受ガイド２８以外の部分、即ちビス受ガイド２８の外側空間に入り込むのを防止する障害物３２が設けられている。
【００３２】
ここで一対のビス受ガイド２８は、周方向に１８０°隔たった位置に且つ逆向きに設けられており、それぞれが支持体１４Ｌ，１４Ｒの軸方向途中位置から底部２２にかけて前後方向に延びている。
これらビス受ガイド２８は、ビス２４を受けて支持しつつこれをビス孔２６に案内するものである。
【００３３】
ここでビス孔２６は、図４に示しているように壁１２側に向って細径化する形態のすり鉢形状をなしており、更に加えて本例では底部２２の内面、詳しくはビス孔２６周りの部分が同じくすり鉢形状をなしている。但しビス孔２６及び底部２２内面のビス孔２６周りの部分の何れかのみをすり鉢形状となしておくこともできる。
【００３４】
尚、上下一対のビス受ガイド２８のうち上側のビス受ガイド２８については湾曲部３０においてビス２４を支持するが、下側のビス受ガイド２８については円筒形状をなす支持体１４Ｌ，１４Ｒ内面がビス２４を支持することとなる。
【００３５】
本例においては、支持体１４Ｌ，１４Ｒの底部２２を壁１２に宛がい、その状態で前端開口からビス２４を支持体１４Ｌ，１４Ｒ内部に挿入したうえ、底部２２のビス孔２６にそれらビス２４を挿通し、更に前端開口から挿入したドライバ等の工具にてビス２４を壁１２にねじ込むことで、支持体１４Ｌ，１４Ｒを壁１２に固定する。
【００３６】
このとき、前端開口から挿入したビス２４を障害物３２によって断面Ｕ字状のビス受ガイド２８内に入り込ませることができ、更にそのビス受ガイド２８によってビス２４を支持しつつビス孔２６に向けて誘導することができる。またビス孔２６及び底部２２内面のビス孔２６周りの部分がすり鉢形状をなしているため、ただ単にビス２４を押し込むだけで、ビス２４をビス孔２６に嵌め合わせることができ、ビス２４のねじ込作業を作業性良く容易に行うことができる。
【００３７】
尚、図１中左側の支持体１４Ｌと右側の支持体１４Ｒとは左右対称形状をなしており、この例では共通の支持体がその向きを左右逆向きとすることで支持体１４Ｌとして、更には支持体１４Ｒとして用いられている。
尚、支持体の向きを左右逆向きとしたとき、上下一対のビス受ガイド２８もまたその位置を上下逆転させる。
さて上記のようにして一対の支持体１４Ｌ，１４Ｒを壁１２に固定したところで、それらの前端開口を化粧キャップ２０にて閉鎖する。
【００３８】
以上のような本例の壁取付ブラケット１４Ｌ，１４Ｒの場合、前端開口より挿入したビス２４をビス受ガイド２８により、支持しつつビス孔２６に誘導できるため、壁取付ブラケット１４Ｌ，１４Ｒが前後方向に長い場合においても容易にビス２４をその底部２２のビス孔２６に持ち来たし、壁１２にねじ込作業することができ、従って壁取付ブラケット１４Ｌ，１４Ｒを作業性良く壁１２に取付固定することができる。
【００３９】
またその固定用のビス２４は最終的に筒内部に隠蔽された状態となるため、施工完了状態において壁取付ブラケット１４Ｌ，１４Ｒの美観を良好となすことができる。
【００４０】
またビス受ガイド２８は周方向に１８０°隔たった２箇所に且つ互いに逆向きに設けてあるため、同種の壁取付ブラケットを左用及び右用に共通に用いることができる。
【００４１】
以上本発明の実施例を詳述したがこれはあくまで一例示である。
例えば本発明は、タオル掛部がリング状をなしているタオル掛器具の支持体（壁取付ブラケット）に対して適用することも可能であるし、或いはまた多数のバーにて棚が構成される水切棚における各バーの支持用の支持体（壁取付ブラケット）に対して、更にはその他の壁取付器具における壁取付ブラケットに対して適用することも可能である。
【００４２】
更に上例ではビス受ガイドが断面Ｕ字形状をなしているが、場合によってこれを断面円形状に形成しておくことも可能であり、また上例ではビス受ガイドを上下に配置しているがこれを左右方向に配置することも可能であるなど、本発明はその主旨を逸脱しない範囲において種々変更を加えた形態で構成可能である。
【図面の簡単な説明】
【図１】  本発明の一実施例である壁取付ブラケット（支持体）を含むタオル掛器具の図である。
【図２】  図１のタオル掛器具の平面構成，正面構成及び側面構成を示す図である。
【図３】  図１のタオル掛器具における支持体の内部を切り欠いて示す図である。
【図４】  図１の支持体の縦断面図及びキャップを取り除いた状態での正面図である。
【図５】  タオル掛器具における支持体の従来の取付構造の一例を示す図である。
【図６】  タオル掛器具における支持体の図５とは異なる従来の取付例を示す図である。
【図７】  本発明のタオル掛器具の実施例に対する比較例を示す比較例図である。
【符号の説明】
１０  タオル掛器具
１２  壁
１４Ｌ，１４Ｒ  支持体（壁取付ブラケット）
１６  タオル掛部
２０  化粧キャップ
２２  底部
２４  ビス
２６  ビス孔
２８  ビス受ガイド
３２  障害物
【図１】
0003912571.tif 000002
【図２】
0003912571.tif 000003
【図３】
0003912571.tif 000004
【図４】
0003912571.tif 000005
【図５】
0003912571.tif 000006
【図６】
0003912571.tif 000007
【図７】
0003912571.tif 000008